【手続補正書】
【提出日】令和3年6月15日(2021.6.15)
【手続補正１】
【補正対象書類名】特許請求の範囲
【補正対象項目名】全文
【補正方法】変更
【補正の内容】
【特許請求の範囲】
【請求項１】
（ａ）ブラジャーの内側にフィットするように少なくとも部分的に成形されたハウジング、
（ｂ）前記ハウジングに取り付けられ、個別の変形可能な隔膜を駆動して陰圧の空気圧を生成する閉ループシステムの一部を形成するピエゾエアポンプであって、この隔膜は乳房シールドの一部を形成する隔膜ハウジングに取り外し可能に取り付けられており、前記隔膜は、前記エアポンプが十分な陰圧の空気圧を与える際に前記隔膜ハウジングに対してシール、セルフシール、自己活性化シール、または締まり嵌めシールを行うように構成されており、前記乳房シールドが前記ハウジングに向けて押される際に前記ハウジングに対してセルフシールを行う、前記ピエゾエアポンプ
を含む、ウェアラブル搾乳器システム。
【請求項２】
内部充電式電池を備えた自己独立型ウェアラブルデバイスとして構成されている、請求項１に記載のウェアラブル搾乳器システム。
【請求項３】
前記ピエゾエアポンプは、前記ハウジングの基部またはその近くに配置される、請求項１または２に記載のウェアラブル搾乳器システム。
【請求項４】
前記ピエゾエアポンプが２つ以上の個別のピエゾエアポンプを含む、請求項１から３のいずれか１項に記載のウェアラブル搾乳器システム。
【請求項５】
前記個別のピエゾエアポンプが直列配置で取り付けられている、請求項４に記載のウェアラブル搾乳器システム。
【請求項６】
前記個別のピエゾエアポンプが並列配置で取り付けられている、請求項４または５に記載のウェアラブル搾乳器システム。
【請求項７】
前記変形可能な隔膜は、前記乳房シールドの一部である保持部に対して取り外し可能に取り付けられた単一またはワンピースの物体である、請求項１から６のいずれか１項に記載のウェアラブル搾乳器システム。
【請求項８】
前記変形可能な隔膜が、前記ピエゾエアポンプに物理的に接続されていない、請求項１から７のいずれか１項に記載のウェアラブル搾乳器システム。
【請求項９】
前記変形可能な隔膜は、前記乳房シールドの一体部分である隔膜ハウジング上に取り外し可能に着座する可撓性の略円形の隔膜である、請求項１から８のいずれか１項に記載のウェアラブル搾乳器システム。
【請求項１０】
隔膜ハウジングが、陰圧の空気圧を前記乳房シールドの乳頭トンネルに伝達する空気穴を含み、前記隔膜が前記隔膜ハウジングから離れるときに前記陰圧の空気圧が生じ、前記乳頭トンネル内の前記陰圧の空気圧により、乳房及び／または乳頭が前記乳房シールドに押し付けられ、乳が搾り出される、請求項１から９のいずれか１項に記載のウェアラブル搾乳器システム。
【請求項１１】
前記ピエゾエアポンプは、４００ｍＢａｒ（４０ｋＰａ）を超える失速圧力及び毎分１．５リットルの自由空気流を送達する、請求項１から１０のいずれか１項に記載のウェアラブル搾乳器システム。
【請求項１２】
前記ピエゾエアポンプの重量が１０ｇｍ未満である、請求項１から１１のいずれか１項に記載のウェアラブル搾乳器システム。
【請求項１３】
通常の動作において、前記搾乳器システムは、２０ｄＢの周囲ノイズに対して、最大電力で３０ｄＢ未満、通常電力で２５ｄＢ未満のノイズを発生させる、請求項１から１２のいずれか１項に記載のウェアラブル搾乳器システム。
【請求項１４】
前記ピエゾエアポンプは、エアフィルタを通過する空気が供給される、請求項１から１３のいずれか１項に記載のウェアラブル搾乳器システム。
【請求項１５】
通常の使用または通常の分解において前記ハウジングから直接取り外し可能な２つの部品、すなわち前記乳房シールド及び硬くて折り畳み不可能な乳容器のみを含む、請求項１から１４のいずれか１項に記載のウェアラブル搾乳器システム。
【請求項１６】
前記乳房シールドは、単一のスライドプッシュ動作で前記ハウジングに取り付けられるように構成される、請求項１から１５のいずれか１項に記載のウェアラブル搾乳器システム。
【請求項１７】
乳が乳容器に流れ込んでいるか流れていないかを示す視覚及び／または触覚インジケータを含む、請求項１から１６のいずれか１項に記載のウェアラブル搾乳器システム。
【請求項１８】
前記ハウジングは、センサであって、搾乳セッション中に、前記ハウジングの動き及び／または傾斜角を測定または判定し、前記センサの出力に応じて前記システムの動作に自動的に影響するまたは調整する、加速度計などの前記センサを含む、請求項１から１７のいずれか１項に記載のウェアラブル搾乳器システム。
【請求項１９】
乳が左乳房から搾乳されているのか、または右乳房から搾乳されているのかを使用者が表示または記録するために選択できる制御インターフェイスを含む、請求項１から１８のいずれか１項に記載のウェアラブル搾乳器システム。
【請求項２０】
（ｉ）前記陰圧を測定するように構成された空気圧センサ、及び（ｉｉ）乳の流れまたは乳の量を測定または推測する測定サブシステムを含む、請求項１から１９のいずれか１項に記載のウェアラブル搾乳器システム。
【請求項２１】
（ａ）再利用可能な、剛性または折り畳めない乳容器、
（ｂ）放射を乳の表面に向けるように構成された少なくとも１つの光エミッタ、
（ｃ）前記乳の前記表面からの反射放射を検出するように構成された少なくとも１つの光検出器
を含み、
前記光エミッタと前記検出器は、前記容器内の前記乳の高さを測定する、または量を推測するサブシステムの一部として動作する、請求項１から２０のいずれか１項に記載のウェアラブル搾乳器システム。
【請求項２２】
ポンプシステムの重心が、前記ハウジングに取り付けられた乳容器が空のとき、実質的に（ｉ）前記ハウジングの中途高さ線、または（ｉｉ）乳頭トンネルまたは乳房シールドの充填点を通る水平線以下であり、これにより、前記ポンプを使用する女性にとってデバイスの上部が重くならない、請求項１から２１のいずれか１項に記載のウェアラブル搾乳器システム。
【請求項２３】
乳容器内への乳の流れを測定または推測する測定サブシステムを含み、また、前記測定サブシステムが、乳の流量または乳の搾り出しに関する使用者定義の要件と相関するメトリックを判定するデータ分析システムにデータを提供する、請求項１から２２のいずれか１項に記載のウェアラブル搾乳器システム。
【請求項２４】
接続されたデバイスまたはリモートアプリケーションまたはリモートサーバーにデータを収集及び提供するデータサブシステムを含み、前記収集されたデータの全部または一部が、ソーシャルメディアまたはコミュニティの機能またはプラットフォームへの入力を提供するデータ分析システムによって使用される、請求項１から２３のいずれか１項に記載のウェアラブル搾乳器システム。
【請求項２５】
搾乳機構を制御し、前記システムの使用中に体験している快適さのレベルを使用者が手動で示すことができるようにプログラムされたマイクロコントローラを含む、請求項１から２４のいずれか１項に記載のウェアラブル搾乳器システム。
【請求項２６】
搾乳機構の１つ以上のパラメータを自動的に変更し、これらのパラメータの１つ以上の異なる値の関数として乳搾り出しデータを自動的に測定または関連付けるようにプログラムされたマイクロコントローラを含む、請求項１から２５のいずれか１項に記載のウェアラブル搾乳器システム。
【請求項２７】
前記ハウジングに接続されたときに、前記ハウジングの湾曲した形状を継続するように形作られた表面を備えた、前記ハウジングの一体の下部を形成し、ポンプシステムを前記ブラジャー内に快適に保持できるようにする、再利用可能な剛性または折り畳めない乳容器を含む、請求項１から２６のいずれか１項に記載のウェアラブル搾乳器システム。
【請求項２８】
単一のプッシュ動作で乳容器が前記ハウジングに十分に押し付けられたときに解放可能に取り付けまたはラッチする機構で前記ハウジングに取り付け可能な前記乳容器を含む、請求項１から２７のいずれか１項に記載のウェアラブル搾乳器システム。
【請求項２９】
前記乳房シールドは、乳頭を受け入れるように形作られた乳頭トンネルを含み、乳流路の開始を規定する開口部を含み、前記システムは、前記搾乳器が通常の使用のために配置または方向付けられている場合、前記ハウジングに接続されたときに前記開口部または前記乳流路の完全に下に配置される再利用可能な乳容器を含む、請求項１から２８のいずれか１項に記載のウェアラブル搾乳器システム。
【請求項３０】
ハウジングから取り外し可能であり、高さよりも幅が広いために乳児が容易に保持できる飲用瓶としても機能する形状または構成の乳容器を含む、請求項１から２９のいずれか１項に記載のウェアラブル搾乳器システム。
【請求項３１】
請求項１から３０のいずれか１項に記載のシステムを使用するステップを含む、乳を搾り出し、収集する方法。